(57)【特許請求の範囲】
【請求項１】
担架本体に被介助者を載せて、浴槽内の支持台上に載置させて被介助者を入浴させる入浴用担架であって、
前記担架本体の長手方向の端部に前記被介助者の足を保護する一対のフットガードが設けられ、
該フットガードは前記担架本体の端部に設けた支軸に対して水平方向に回動可能に取り付けられ、前記担架本体の長手方向に直交する向きに支持されて被介助者の足先を当接可能な第一位置と、前記担架本体の側面に支持されて被介助者の足の側方を当接可能な第二位置とを選択的にとり得るようにしたことを特徴とする入浴用担架。
【請求項２】
前記フットガードの回動角度を前記第一位置と前記第二位置との間に制限する角度制限機構が設けられたことを特徴とする請求項１に記載の入浴用担架。
【請求項３】
前記第一位置又は前記第二位置において、前記フットガードを固定するロック機構が設けられたことを特徴とする請求項１または２に記載の入浴用担架。
【発明の詳細な説明】
【技術分野】
【０００１】
この発明は、病人や寝たきりの老人、身体障害者等の被介助者を載せて入浴させる入浴用担架に関する。
【背景技術】
【０００２】
一般に、寝たきりの老人や身体障害者や手術直後の患者のような被介助者を入浴させる入浴システムとして、被介助者が載せられた入浴用担架をストレッチャーで入浴装置の浴槽に横付けし、このストレッチャー上から浴槽内の支持台に移動させるよう構成される入浴システムが知られている。
【０００３】
この入浴システムは、被介助者が載せられた入浴用担架を、浴槽の側方に横付けした状態から支持台を介してスライドさせることによって浴槽内に案内する。そして、その後浴槽内に湯を溜めて被介助者を湯に浸からせるようになっている（例えば特許文献１参照）。
なお、このように浴槽内に入浴用担架をスライドさせる際には、浴槽の側壁に設けられた扉部が下降して開放状態とされ、入浴用担架がこの開放部を通過して浴槽内に導かれる構成とされている。
このような入浴装置によれば、被介助者を介護する介護者が、比較的労力を必要とせずとも被介助者を入浴させることが可能となっている。
【特許文献１】特開平１１−１０４２０５号公報
【発明の開示】
【発明が解決しようとする課題】
【０００４】
ところで、上記のような入浴装置の浴槽においては、浴室のスペースを有効活用するためや、湯量を削減して給湯に要する時間・費用を低減するために浴槽自体のコンパクト化を図ることが要求されている。しかしながら、浴槽がコンパクト化されると、浴槽内に入浴用担架をスライドさせて導入する際に、被介助者の足先が浴槽内の壁面に当たることがあり、入浴用担架の導入を円滑に行うことができないという問題があった。
【０００５】
また、浴槽内に入浴用担架が導入された後は、浴槽側壁の扉部が上昇して閉鎖状態とされるが、この際、被介助者の足が入浴用担架からはみ出して扉部に当たることがないよう保護することが求められる。さらに、入浴時においては、被介助者の不用意な開脚を防止して入浴姿勢を保持できることが望ましい。
【０００６】
本発明は、このような課題に鑑みてなされたものであり、被介助者が載せられた入浴用担架を浴槽内にスライドさせる際に、被介助者の足が浴槽の壁面に当たることを防止するとともに、浴槽内に移動された後には、被介助者の足がはみ出すことを防止して入浴姿勢を保持することができる入浴用担架を提供することを目的とする。
【課題を解決するための手段】
【０００７】
前記課題を解決するため、この発明は以下の手段を提案している。
即ち、本発明に係る入浴用担架は、担架本体に被介助者を載せて、浴槽内の支持台上に載置させて被介助者を入浴させる入浴用担架であって、担架本体の長手方向の端部に被介助者の足を保護する一対のフットガードが設けられ、該フットガードは担架本体の端部に設けた支軸に対して水平方向に回動可能に取り付けられ、担架本体の長手方向に直交する向きに支持されて被介助者の足先を当接可能な第一位置と、担架本体の側面に支持されて被介助者の足の側方を当接可能な第二位置とを選択的にとり得るようにしたことを特徴としている。
【０００８】
フットガードが第一位置にあるときには、被介助者の足先がガードされ担架本体の長手方向外側にはみ出すことはない。
また、担架本体が浴槽内に導入された後は、フットガードを第二位置に移動させることによって、被介助者は足をゆったりと伸ばすことができる他、担架本体の両側方がフットガードによってガードされた状態となるため、被介助者の足が担架本体から側方にはみ出すのを防止することができる。したがって、浴槽側壁の扉部が上昇する際の被介助者の安全性を担保することができるとともに、入浴時における被介助者の不用意な開脚を防止することができる。
【００１０】
このような特徴の入浴用担架によれば、フットガードを水平方向に回動させることをもって、足先をガードする第一位置と足の側方をガードする第二位置とを選択的にとり得ることができる。
【００１１】
また、上記入浴用担架においては、前記フットガードの回動角度を前記第一位置と前記第二位置との間に制限する角度制限機構が設けられたことを特徴としている。
これにより、フットガードが不用意な方向に回動することなく、必要な範囲のみで回動させることができるため、取扱いを容易にすることが可能となる。
【００１２】
さらに、本発明に係る入浴用担架においては、前記第一位置又は前記第二位置において、前記フットガードを回動不能に固定するロック機構が設けられたことを特徴としている。
これによりフットガードは、入浴用ガードを浴槽内に導入する際は第一位置に固定され、当該浴槽内に導入された後には第二位置に固定される。したがってフットガードが不用意に回動してしまうことがないため、安全性を担保することが可能となる。
【発明の効果】
【００１３】
本発明における入浴用担架によれば、被介助者の足先をガードする第一位置と足の側方をガードする第二位置とを選択的にとり得るフットガードを設けることによって、入浴用担架を浴槽内に導入する際には被介助者の足が浴槽内の壁面に当たるのを防止し、導入された後には被介助者の足が側方にはみ出すことを防止して入浴姿勢を保持することが可能となる。
【発明を実施するための最良の形態】
【００１４】
以下、本発明の実施形態である入浴用担架について、図１から図６を用いて詳細に説明する。なお、本発明の実施形態の入浴用担架については、入浴システムとともに詳細に説明する。
図１は実施形態に係る入浴システムを示す側面図、図２は実施形態に係る入浴システムの平面図、図３はフットガードが第一位置にある場合の入浴用担架の斜視図、図４はフットガードの角度制限機構を説明する平断面図、図５はフットガードのロック機構を説明するための平断面図、図６はフットガードが第二位置にある場合の入浴用担架の斜視図である。
【００１５】
入浴システム６０は、寝たきりの老人や身体障害者や手術直後の患者のような被介助者を入浴させる際に使用され、図１及び図２に示すように、入浴装置１０と、ストレッチャ２０と、入浴用担架３０とから概略構成されている。
【００１６】
入浴装置１０は、図１及び図２に示すように、入浴装置本体２と、この入浴装置本体２の上部に開口して設けられる浴槽１と、入浴装置本体２の第一側壁２ａに設けられる扉部４と、入浴装置１０の操作を行うための操作部５とを備えている。
【００１７】
図１及び図２に示すように、この入浴装置１０の第一側壁２ａの上部には開口部２ｂが形成されており、この第一側壁２ａに設けられた扉部４は、該第一側壁２ａの高さ方向に沿って移動可能に構成され、開口部２ｂを開閉することができるように構成されている。また、この扉部４が上方へと移動され開口部２ｂが閉じられた状態において、扉部４の浴槽１側の面に設けられるシール部材（図示省略）が、この開口部２ｂの上方を除く周囲三方を液密に密閉させることができるように構成されている。
【００１８】
また、浴槽１の底部上面には、図示しない支持台が配置されている。この支持台は、入浴用担架３０を浴槽１内に導入する際にはガイドとなり、該入浴用担架３０が浴槽１内に導入された後は入浴用担架３０を浴槽１上に固定する役割を有する。
【００１９】
図１及び図２に示すように、ストレッチャー２０は、担架３０を載置するための天板２１と、この天板２１を水平状態に保つ支柱２５と、このストレッチャー２０を支持し自在に移動させるための４つの車輪２４とを備えている。
【００２０】
図２に示すように、天板２１の上面には、天板２１の長手方向と直交する方向に平行に離間して延在する２本のガイドレール２１ａ、２１ｂが固定されている。また天板２１の上面には、両ガイドレール２１ａ、２１ｂの配置される略中央部にフック付きのツメを有するロック部材２１ｃが配設されている。
【００２１】
入浴用担架３０は、被介助者を載せた状態でストレッチャー２０上に載置されて搬送されるとともに、入浴時には上述の入浴装置１０の支持台上に載せられるものであり、図１から図３に示すように、被介助者が載せられる担架本体３５を備えており、該担架本体３５は、被介助者の下半身が載せられる座部３１と、該座部３１の一端側に連結されこの連結部を支点として傾動可能な背もたれ部３２とを備えている。なお、これら座部３１及び背もたれ部３２は、ブロー成形により形成されて内部に空気層が存在しており、軽量なものとされている。
【００２２】
座部３１の上面には、座部マット３１ａが敷設されているとともに、該座部３１の長手方向と平面視直交する方向の両端部には、被介助者の落下を防止するための柵部３１ｂ、３１ｂが設けられている。
また、背もたれ部３２の上面には長手方向一方の端部側から順にヘッドレスト３２ａ、背もたれマット３２ｂが設けられている。
さらに、座部３１及び背もたれ部３２のそれぞれには、被介助者の身体部を固定するためのバンド３１ｃ、３２ｃが設けられている。
そして被介助者が、ヘッドレスト３２ａにその頭部を載せ、長手方向の他方の側に足部を向けるようにして、上半身を背もたれ部３２に、下半身を座部３１に体重を預けてこの担架３０に載せられるようになっている。
【００２３】
また、担架３０の座部３１の裏面には、図１及び図３に示すように、ローラー３４ａ、３４ｂがそれぞれ複数ずつ設けられている。これらのローラー３４ａ、３４ｂは担架３０の長手方向と平面視直交する方向に同一線上に並べられ、ローラー３４ａの列とローラー３４ｂの列とが互いに平行に離間するように設けられている。また両ローラー３４ａ、３４ｂの配置される間隔は、ストレッチャー２０のガイドレール２１ａ、２１ｂが離間して配置される間隔と同一とされている。この両ローラー３４ａ、３４ｂは、ローラー支持体３６により軸支されその軸線を中心に回転可能とされ配設されている。
【００２４】
また、両ローラー３４ａ、３４ｂの内側の略中央部には入浴装置１０に設けられたロック部材３のツメと係合するためのピンを設けるロック受部３８が備えられている。
【００２５】
そして、この入浴用担架３０における担架本体３５の座部３１の足先側には、被介助者の足先及び足側方をガード可能な一対のフットガード４０、４０が配設されている。
このフットガード４０、４０はフットガード支持部材４５によって座部３１に取り付けられており、該フットガード支持部材４５は、支持パイプ４６と一対の支軸４７、４７とから構成されている。
【００２６】
支持パイプ４６は、平面視にて略コの字状をなすパイプであって、コの字の開口端が座部３１の裏面に固定されているとともに、コの字の開口と対向する直線部分４６ａが座部３１の表面上に足先側端部に沿うように設けられている。これにより、直線部分４６ａは入浴用担架３０の左右方向に沿って延在して配設されている。
また、支軸４７、４７は鉛直方向に延びる軸状の部材であり、支持パイプ４６における直線部分４６ａの左右両端に一対が配設されている。
【００２７】
さらに、両支軸４７、４７には、例えば図４に示すように、その径方向外側に頭部４８ａが突出するようにして捩じ込まれたネジ部材４８が設けられている。
また、支軸４７には、例えば図５に示すように、その径方向外側に向けて付勢されて径方向に進退可能ボールプランジャ４９が設けられている。
なお、これらネジ部材３８及びボールプランジャ４９は、両支軸４７、４７において高さの異なる箇所に設けられている。
【００２８】
フットガード４０は、鉛直方向に延びる有底筒状をなす支軸取付部４０ａと、鉛直面に沿った板状をなし支軸取付部４０の半径方向に延在するように配設されたフットガード本体４０ｂとから構成されており、支軸取付部４０ａが支軸４７に外嵌されることにより、該支軸４７に回動可能に取り付けられている。
【００２９】
また、図４に示すように、支軸取付部４０ａにおけるネジ部材４８に対応する高さ位置には、該ネジ部材４７ａの頭部が収納可能な貫通溝４０ｃが形成されている。この貫通溝４０ｃは、平面視にて支軸取付部４０ａの周方向に一定の角度（本実施形態では１１０°）で開口するように形成されており、支軸４７に取り付けられたネジ部材４８の頭部４８ａがこの貫通溝４０ｃ内のみを移動することで、支軸４７に対する支軸取付部４０ａの回動角度が制限されている。これによって、フットガード４０、４０は互いの先端側を近接させた第一位置（図１から図３参照）と、座部３２の側面側に沿った第二位置（図６参照）との間のみで回動可能とする角度制限機構が構成される。
【００３０】
さらに、図５に示すように、支軸取付部４０ａの内周面におけるボールプランジャ４９に対応する高さ位置には、ボールプランジャ４９の突出部分４９ａが嵌り込む溝４０ｄ、４０ｄが周方向に上記貫通溝４０ｃの開口角度（本実施形態では１１０°)に対応する間隔を空けて二つが形成されている。
これにより、フットガード４０が上記第一位置又は第二位置にある際には、ボールプランジャ４９の突出部分４９ａが溝４０ｄ、４０ｄに嵌りこむことによって、僅かなの力では固定されないようにフットガード４０が支軸４７に対して固定されるロック機構が構成される。
なお、上記突出部分４９ａは径方向外側に向けて付勢されているものの進退可能であるため、ある程度の力でもってフットガード４０を回動させようとした際には、突出部分４９ａが後退してフットガード４０の回動が許容されるようになっている。
【００３１】
次に、上記のように構成される入浴システム６０における入浴用担架３０の作用について説明する。
入浴装置１０は、予め扉部４を下げ開口部２ｂを開口状態としておく。そして、被介助者が載せられた入浴担架３０を載置したストレッチャー２０を、入浴装置１０の第一側壁２ａの側へ横付けし、入浴用担架３０を浴槽１内に導入可能な状態にする。
【００３２】
ここで入浴用担架３０が浴槽１内に導入される際には、フットガード４０、４０を図１から図３に示すような互いの先端側を近接させた第一位置にする。
これにより座部３１の足先側端部に二枚のフットガード４０、４０が立設された状態となり、被介助者の足先が当該フットガード４０、４０に当接してガードされるため、被介助者の足が担架本体の長手方向外側にはみ出すことはない。したがって、被介助者の足先の安全性を担保しながら入浴用担架３０を円滑に浴槽１内に導入することが可能となる。
【００３３】
そして、被介助者が載せられた入浴用担架３０は、ストレッチャー２０のガイドレール２１ａ、２１ｂ上から入浴装置１０の図示しない支持台上へローラー３４ａ、３４ｂを回転させつつ水平移動されることで、浴槽１内に入浴用担架３０が導入される。
【００３４】
入浴用担架３０が入浴装置１０の支持台上まで移動されると、ロック受部３８が入浴装置１０のロック部材３と係合されて、入浴用担架３０はその長手方向と直交する向きにロックされ浴槽１内に固定される。
なお、この際には、フットガード４０、４０を第二位置へと回動させる。これにより、被介助者の足先側に足の伸張を妨げるものはなく足をゆっくり伸ばすことができ、被介助者の入浴スペースを広くとることが可能となる。
さらに当該フットガード４０、４０が被介助者の足の両側方をガードした状態となるため、被介助者の足が担架本体から側方にはみ出すことはない。これによって、入浴装置１の扉部４を上方へと移動させる際に、被介助者の足が扉部４に当たることを避けることができるため、被介助者の安全性を担保するとともに、扉部４の円滑な閉鎖を行うことが可能となる。
また、浴槽１内に湯を溜めて入浴している際には、当該フットガード４０、４０により被介助者が不用意に開脚してしまうのを防止することができるため、被介助者の入浴姿勢を保持して、当該被介助者を快適に入浴させることが可能となる。
【００３５】
以上のように、本発明の実施形態の入浴用担架３０においては、座部３１の足先側端部をガードする第一位置と座部３１の側面側をガードする第二位置との間で回動可能なフットガード４０、４０を設けることによって、入浴用担架３０を浴槽１内に導入する際には被介助者の足が浴槽１内の壁面に当たるのを防止し、導入された後には、被介助者のスペースを広く確保することができ、かつ被介助者の足が側方にはみ出すことを防止して入浴姿勢を保持することが可能となる。
したがって、安全性及び快適性を備えた理想的な入浴用担架３０を提供することが可能となる。
【００３６】
また、角度制限機構が備えられているため、フットガード４０、４０が不用意に回動することなく、さらにロック機構によってフットガード４０、４０が第一位置又は第二位置において固定されることにより、当該フットガード４０、４０の不用意な回動を避けることができるため、入浴用担架３０の安全性及び取扱い性を担保することが可能となる。
【００３７】
以上、本発明に係る入浴用担架３０の実施の形態について説明したが、本発明は上記した実施の形態に限定されるものではなく、その趣旨を逸脱しない範囲で適宜変更可能である。
例えば、本実施形態においては、フットガード３０を支持するフットガード支持部材４５は支持パイプ４６と一対の支軸４７、４７とから構成されているが、支軸４７、４７が座部３１の足先側両端に直接的に取り付けられたものであってもよい。
また、支軸４７、４７には、角度制限機構及びロック機構のいずれか一方が設けられたものであってもよい。
【図面の簡単な説明】
【００３８】
【図１】実施形態に係る入浴システムを示す側面図である。
【図２】実施形態に係る入浴システムの平面図である。
【図３】フットガードが第一位置にある場合の入浴用担架の斜視図である。
【図４】フットガードの角度制限機構を説明する平断面図である。
【図５】フットガードのロック機構を説明するための平断面図である。
【図６】フットガードが第二位置にある場合の入浴用担架の斜視図である。
【符号の説明】
【００３９】
１      浴槽
１０    入浴装置
２０    ストレッチャー
３０    入浴用担架
３５    担架本体
４０    フットガード
４０ｃ  貫通溝（角度制限機構）
４０ｄ  溝（ロック機構）
４８    ネジ部材（角度制限機構）
４８ａ  頭部（角度制限機構）
４７    支軸
４９    ボールプランジャ（ロック機構）
【図１】
0005173480.tif 000002
【図２】
0005173480.tif 000003
【図３】
0005173480.tif 000004
【図４】
0005173480.tif 000005
【図５】
0005173480.tif 000006
【図６】
0005173480.tif 000007